(57)【特許請求の範囲】
【請求項１】
枠と、枠内に引違い状に開閉自在に収めた外障子及び内障子と、外気密ライン及び内気密ラインを備え、枠は、連動装置受けを有し、内障子の戸先框と竪枠間に戸先引寄せピースが設けてあり、外障子の召合せ框にハンドルと連動装置が設けてあり、内障子の召合せ框にハンドル受けが設けてあり、内外障子の召合せ框間に召合せ引寄せピースが設けてあり、内障子を閉めると、戸先引寄せピースにより内障子の戸先が室内側に引寄せられ、ハンドルを施錠側に操作すると、ハンドル受けに係合して内外障子がロックされると共に、連動装置が枠の連動装置受けに押し付けられ、連動装置と召合せ引寄せピースとにより内外障子の召合せ框が一緒に室内側に引寄せられ、外気密ラインは、外障子が室内側に引寄せられたときに外障子の室内面と枠の見込み方向の中間の間を気密し、内気密ラインは、内障子が室内側に引寄せられたときに内障子の室内面と枠の見込み方向の室内側の間を気密するものであり、下枠は、略同一高さの外レールと内レールと中間立ち上げ片と室内側立ち上げ片とを有し、中間立ち上げ片は、外レールと内レールの間で閉鎖状態の外障子が位置する範囲の長手方向に設けてあり、外障子が室内側に引き寄せられたときに外障子の室内面と外気密ラインを介して近接するものであり、室内側立ち上げ片は、内レールの室内側に位置し、内障子が室内側に引き寄せられたときに内障子の室内面と内気密ラインを介して近接するものであり、中間立ち上げ片の無い範囲の内外レール間の下枠上面に複数の水抜孔が設けてあることを特徴とする防音サッシ。
【発明の詳細な説明】
【技術分野】
【０００１】
本発明は、施錠時に障子を室内側に引寄せて気密ラインを形成する防音サッシに関する。
【背景技術】
【０００２】
空港の近くなど騒音の激しい場所に設置される窓には、グレモン錠により障子を室内側に引寄せ、枠に設けたタイト材に障子を圧着させることで、防音性能を高めた防音サッシが用いられている。図１３は従来の防音サッシの一例を示しており、外障子９０の召合せ框に取付けた図示しないグレモンハンドルを操作すると、図１３（ｂ）に示すように、外障子９０の召合せ框の上下端部に設けた連動部材９１ａ，９１ｂが上下枠のレール９２ａ，９２ｂを押すことで内外障子９０，９３が室内側に引寄せられ、外障子９０の室内側面に突設した当接部９４と内障子９３の框の室外側の壁９５とが、枠９６に設けた同一のタイト材９７に圧着するようにしている。
このような防音サッシでは、下枠上面の内レール９８の室内側や内レール９８と内障子の下框の室外側の壁９５との間、外障子の当接部９４の上などに、障子内に浸入した雨水や結露水等９９が溜まり、排水性が悪い不都合があった。また近年の引違いサッシは、バリアフリーなどの観点から下枠上面を略フラットとし、内外レールの突出高さを同じ高さにしたものが主流となっているが、上記のような防音サッシでは、内外障子を枠の同じタイト材９７に圧着させるために下枠を階段状にせざるをえず、下枠のフラット化に対応できなかった。
【発明の概要】
【発明が解決しようとする課題】
【０００３】
本発明は以上に述べた実情に鑑み、排水性を向上できると共に、下枠のフラット化に対応できる防音サッシの提供を目的とする。
【課題を解決するための手段】
【０００４】
上記の課題を達成するために請求項１記載の発明による防音サッシは、枠と、枠内に引違い状に開閉自在に収めた外障子及び内障子と、外気密ライン及び内気密ラインを備え、枠は、連動装置受けを有し、内障子の戸先框と竪枠間に戸先引寄せピースが設けてあり、外障子の召合せ框にハンドルと連動装置が設けてあり、内障子の召合せ框にハンドル受けが設けてあり、内外障子の召合せ框間に召合せ引寄せピースが設けてあり、内障子を閉めると、戸先引寄せピースにより内障子の戸先が室内側に引寄せられ、ハンドルを施錠側に操作すると、ハンドル受けに係合して内外障子がロックされると共に、連動装置が枠の連動装置受けに押し付けられ、連動装置と召合せ引寄せピースとにより内外障子の召合せ框が一緒に室内側に引寄せられ、外気密ラインは、外障子が室内側に引寄せられたときに外障子の室内面と枠の見込み方向の中間の間を気密し、内気密ラインは、内障子が室内側に引寄せられたときに内障子の室内面と枠の見込み方向の室内側の間を気密するものであり、下枠は、略同一高さの外レールと内レールと中間立ち上げ片と室内側立ち上げ片とを有し、中間立ち上げ片は、外レールと内レールの間で閉鎖状態の外障子が位置する範囲の長手方向に設けてあり、外障子が室内側に引き寄せられたときに外障子の室内面と外気密ラインを介して近接するものであり、室内側立ち上げ片は、内レールの室内側に位置し、内障子が室内側に引き寄せられたときに内障子の室内面と内気密ラインを介して近接するものであり、中間立ち上げ片の無い範囲の内外レール間の下枠上面に複数の水抜孔が設けてあることを特徴とする。
【発明の効果】
【０００５】
請求項１記載の発明による防音サッシは、外気密ラインと内気密ラインを分離し、内外障子が室内側に引寄せられたときに、外障子の室内面と枠の見込み方向の中間の間を外気密ラインにより気密し、内障子の室内面と枠の見込み方向の室内側の間を内気密ラインにより気密するようにしたので、排水性を向上できると共に、下枠のフラット化に対応できる。また、内障子の戸先框と竪枠間に設けた戸先引寄せピースにより、内障子を閉めたときに内障子の戸先を室内側に引寄せでき、さらに内外障子の召合せ框間に召合せ引寄せピースが設けてあることで、ハンドルを施錠側に操作したときに内外障子の召合せ框を一緒に室内側に引寄せできるので、構造が簡単である。
【図面の簡単な説明】
【０００６】
【図１】図３のＡ−Ａ断面図であって、施錠時の状態を示す。
【図２】図３のＡ−Ａ断面図であって、開錠時の状態を示す。
【図３】本発明の防音サッシの一実施形態を示す室内側正面図である。
【図４】図３のＢ−Ｂ断面図である。
【図５】図３のＣ−Ｃ断面図である。
【図６】図３のＤ−Ｄ断面図である。
【図７】内外障子の召合せ部の下側を拡大して示す縦断面図である。
【図８】内外障子の召合せ部の下方を拡大してしめす下枠の平面図である。
【図９】内外障子の召合せ部の上側を拡大して示す縦断面図である。
【図１０】内外障子の召合せ部の上方を拡大してしめす上枠の底面図である。
【図１１】外障子の戸先框に設けられる引寄せ装置を示す側面図であって、（ａ）は引寄せ前の状態、（ｂ）は引寄せ後の状態を示す。
【図１２】図１１のＥ−Ｅ断面図である。
【図１３】従来の防音サッシの縦断面図であって、（ａ）は障子が走行するときの状態、（ｂ）は施錠時の状態を示す。
【発明を実施するための形態】
【０００７】
以下、本発明の実施の形態を図面に基づいて説明する。図１〜１２は、本発明の防音サッシの一実施形態を示している。本防音サッシは、図１〜４に示すように、躯体開口部に取付けられる枠１と、枠１内に引違い状に開閉自在に収めた外障子２及び内障子３を備えている。
【０００８】
枠１は、アルミニウム合金の押出形材よりなる上枠４と下枠５と左右の竪枠６ａ，６ｂとを枠組みして構成してある。外障子２は、アルミニウム合金の押出形材よりなる上框７ａと下框８ａと戸先框９ａと召合せ框１０ａとを框組みし、その内側にグレチャン１１を介してガラス１２を嵌め込んで構成してある。内障子３も外障子２と同様に、アルミニウム合金の押出形材よりなる上框７ｂと下框８ｂと戸先框９ｂと召合せ框１０ｂとを框組みし、その内側にグレチャン１１を介してガラス１２を嵌め込んで構成してある。
【０００９】
上枠４は、図１に示すように、室外側垂下片１３と外レール１４と中間垂下片１５と室内側垂下片１６とを有し、外レール１４で外障子２の上部を案内し、中間垂下片１５と室内側垂下片１６の間に内障子３の上部を案内している。中間垂下片１５の下端部には、室外側に向けて室外側横タイト材１７が取付けてあり、室内側垂下片１６の下端部には、室外側に向けて室内側横タイト材１８が取付けてある。
室外側横タイト材１７は、外障子２が位置する範囲、すなわち上枠４の室内側から見て左側の端部より内外障子２，３の召合せ部の上方までの範囲に設けてあり（図１０参照）、施錠時に外障子２が室内側に引寄せられたときに外障子２の上框７ａの室内側面が室外側横タイト材１７に当接し、外気密ライン１９を形成する。室内側横タイト材１８は、内障子３が位置する範囲、すなわち上枠４の室内側から見て右側の端部より内外障子２，３の召合せ部の上方までの範囲に設けてあり（図１０参照）、施錠時に内障子３が室内側に引寄せられたときに内障子３の上框７ｂの室内側面が室内側横タイト材１８に当接し、内気密ライン２０を形成する。開錠時には、図２に示すように、外障子２の上框７ａは室外側横タイト材１７から離れ、内障子３の上框７ｂは室内側横タイト材１８から離れる。
【００１０】
内外障子２，３の召合せ部の上方の上枠４下面には、図９，１０に示すように、連動装置受け２１と風止め板２２ａ，２２ｂが取付けてある。連動装置受け２１は、外レール１４と中間垂下片１５との間に取付けてあり、施錠時に外障子２の召合せ框１０ａの上端より突出する上スライドブロック２３が連動装置受け２１に当接することで、外障子２の召合せ框１０ａが室内側に引寄せられるようにしている。風止め板２２ａ，２２ｂは、中間垂下片１５に形成した切欠き部に取付けられる室外側風止め板２２ａと、中間垂下片１５と室内側垂下片１６との間に取付けられる室内側風止め板２２ｂとで構成される。室外側風止め板２２ａは、室外側横タイト材１７の端面に当接して設けられ、内外障子２，３の召合せ框１０ａ，１０ｂの間に垂下するヒレ片２４を有している。室内側風止め板２２ｂは、上枠４に係合する基部２５と、基部２５より垂下して内障子３の召合せ框１０ｂの上端に当接する複数のヒレ片２６と、室内側横タイト材１８の端面に当接する当接部２７を有している。これらの風止め板２２ａ，２２ｂのヒレ片２４，２６により外気密ライン１９と内気密ライン２０を繋ぎ、内外障子２，３の召合せ部と上枠４の間から風雨が吹き込むのを防いでいる。
【００１１】
下枠５は、図１に示すように、上面５ａが略フラットに形成され、外障子２下部を案内する外レール２８と内障子３下部を案内する内レール２９と室内側立ち上げ片３０とが略同一高さで突出しており、室内側立ち上げ片３０の上端部に室外側に向けて室内側横タイト材１８が取付けてある。さらに下枠５は、外レール２８と内レール２９との間に下枠補助材３１が取付けてあり、下枠補助材３１は内外レール２８，２９と略同一高さで突出する中間立ち上げ片３２を有し、中間立ち上げ片３２の上端部に室外側に向けて室外側横タイト材１７が取付けてある。
下枠補助材３１と室外側横タイト材１７は、外障子２が位置する範囲、すなわち下枠５の室内側から見て左側の端部より内外障子２，３の召合せ部の下方までの範囲に設けてあり（図８参照）、施錠時に外障子２が室内側に引寄せられたときに外障子２の下框８ａの室内側面が室外側横タイト材１７に当接し、外気密ライン１９を形成する。室内側横タイト材１８は、内障子３が位置する範囲、すなわち下枠５の室内側から見て右側の端部より内外障子２，３の召合せ部の下方までの範囲に設けてあり（図８参照）、施錠時に内障子３が室内側に引寄せられたときに内障子３の下框８ｂの室内側面が室内側横タイト材１８に当接し、内気密ライン２０を形成する。開錠時には、図２に示すように、外障子２の下框８ａは室外側横タイト材１７から離れ、内障子３の下框８ｂは室内側横タイト材１８から離れる。
【００１２】
下枠５の室内側から見て左側の端部には、図４，５に示すように、外レール２８の室内側と、中間立ち上げ片３２と内レール２９の間と、内レール２９と室内側立ち上げ片３０の間の下枠上面５ａに水抜孔３３ａ，３３ｂ，３３ｃが設けてある。下枠５の室内側から見て右半分の領域には、図４，６に示すように、外レール２８と内レール２９の間に目板３４が取付けてあり、目板３４には水抜孔３３ｄが多数形成されている。下枠５の室内側から見て右側の端部にも、内レール２９と室内側立ち上げ片３０の間の下枠上面５ａに水抜孔３３ｅが設けてある。
障子２，３は、下框８ａ，８ｂの底面や戸先框９ａ，９ｂ及び召合せ框１０ａ，１０ｂの下端部等に、障子２，３内に浸入した雨水を排水するための水抜孔（図示省略）が適宜設けてある。
障子２，３内に浸入した雨水や結露水等は下枠上面５ａに流下し、これらの水抜孔３３ａ，３３ｂ，３３ｃ，３３ｄ，３３ｅより下枠５の中空部３５内に流れ、室外側壁に設けた排水弁３６より室外に排水される。なお、図５，６中に図示した二点鎖線３７は、雨水等の排水経路を示す。さらに、内外障子２，３の召合せ部の下方の下枠上面５ａにも水抜孔３３ｆが形成され（図８参照）、召合せ部下方に浸入した雨水は、この水抜孔３３ｆより下枠５の中空部３５と排水弁３６を通じて室外に排水される。
【００１３】
下枠５の内外障子２，３の召合せ部の下方位置には、図７，８に示すように、連動装置受け３８と止水板３９ａ，３９ｂが取付けてある。連動装置受け３８は、外レール２８の室内側に取付けてあり、施錠時に外障子２の召合せ框１０ａの下端より突出する下スライドブロック４０が連動装置受け３８に当接することで、外障子２の召合せ框１０ａが室内側に引寄せられるようにしている。止水板３９ａ，３９ｂは、内レール２９の室外側に配置される室外側止水板３９ａと、内レール２９と室内側立ち上げ片３０の間に配置される室内側止水板３９ｂとで構成される。室外側止水板３９ａは、室外側横タイト材１７の端面に当接して設けられ、内外障子２，３の召合せ框１０ａ，１０ｂの間の隙間を塞ぐヒレ片４１を有している。室内側止水板３９ｂは、下枠５に係合する基部４２と、基部４２より立ち上がり内障子３の召合せ框１０ｂの下端部に取付けたシールピース４３に当接する複数のヒレ片４４と、室内側横タイト材１８の端面に当接する当接部４５を有している。これらの止水板３９ａ，３９ｂのヒレ片４１，４４により、外気密ライン１９と内気密ライン２０を繋ぎ、内外障子２，３の召合せ部と下枠５の間から風雨が吹き込むのを防いでいる。
【００１４】
室内側から見て右側の竪枠６ａは、図４に示すように、室外側突出片４６と中間突出片４７と室内側突出片４８を有し、中間突出片４７と室内側突出片４８との間の溝内に内障子３の戸先側の端部を呑み込ませている。中間突出片４７と室内側突出片４８の間にはフィン４９が突出して形成され、内障子３の戸先框９ｂには戸先側に形成された溝内に硬質樹脂で形成した戸先引寄せピース５０が保持してあり、内障子３を閉めたときに戸先引寄せピース５０が竪枠６ａのフィン４９に当接することで、内障子３の戸先部が室内側に引寄せられるようにしている。室内側突出片４８の先端部には、室内側縦タイト材５１が室外側に向けて取付けてあり、内障子３を閉めて戸先部が室内側に引寄せられたときに、室内側縦タイト材５１が戸先框９ｂに当接して内気密ライン５２が形成される。この竪枠６ａの内気密ライン５２は、上枠４及び下枠５の内気密ライン２０と連続している。
【００１５】
室内側から見て左側の竪枠６ｂは、図４に示すように、室外側突出片４６と中間突出片４７と室内側突出片４８を有し、室外側突出片４６と中間突出片４７との間の溝内に外障子２の戸先側の端部を呑み込ませている。室外側突出片４６と中間突出片４７の間にはフィン４９が突出して形成され、外障子２の戸先框９ａには戸先側に形成された溝内に硬質樹脂で形成した戸先引寄せピース５０が保持してあり、外障子２を閉めたときに戸先引寄せピース５０が竪枠６ｂのフィン４９に当接することで、外障子２の戸先部が室内側に引寄せられるようにしている。
さらに戸先框９ａには、図１１，１２に示すように、ハンドル５３と、ハンドル５３の操作に連動して回動する押し駒５４が設けてあり、竪枠６ｂの内周側面にはＬ形断面の当接片５５が設けてあり、図１１（ｂ）に示すようにハンドル５３を下向きに操作すると、押し駒５４が竪枠６ｂの当接片５５に押し付けられて、戸先框９ａが竪枠６ｂにロックされると共に室内側に引寄せられるようにしている。
中間突出片４７の先端部には、室外側縦タイト材５６が室外側に向けて取付けてあり、外障子２を閉めて戸先部が室内側に引寄せられたときに、室外側縦タイト材５６が戸先框９ａに当接して外気密ライン５７が形成される。この竪枠６ｂの外気密ライン５７は、上枠４及び下枠５の外気密ライン１９と連続している。
なお、戸先引寄せピース５０とハンドル５３により戸先框９ａを引寄せ・ロックする機構は、どちらか一方だけが設けてあってもよく、戸先引寄せピース５０が設けてあれば、ハンドル５３等を省略することができる。
【００１６】
外障子２は、図１〜４に示すように、召合せ框１０ａの側面にハンドル５８が設けてあり、召合せ框１０ａ内部の中空部にはハンドル５８の操作に連動する連動装置５９が設けてある。
ハンドル５８には施錠片６０を備えており、図１に示すように、ハンドル５８を下向きに操作することで、施錠片６０が内障子３の召合せ框１０ｂの側面に設けたハンドル受け６１に係合し、内外障子２，３がロックされる。
連動装置５９は、ハンドル５８の回転を直線運動に変換する機構と、召合せ框１０ａの上端より出没する上スライドブロック２３と、召合せ框１０ａの下端より出没する下スライドブロック４０とを有している。上スライドブロック２３と下スライドブロック４０は、室外側に傾斜面６２ａを有する突部６２を有し（図７参照）、図１に示すように、ハンドル５８を下向きに操作して内外障子２，３をロックしたときに、上スライドブロック２３と下スライドブロック４０の突部６２が上枠４の連動装置受け２１と下枠５の連動装置受け３８に押し付けられることで、外障子２の召合せ框１０ａが室内側に引寄せられる。上スライドブロック２３は、室内側面にヒレ片６３が設けてあり、ヒレ片６３は施錠時に上枠４の室外側横タイト材１７と内障子３の召合せ框１０ｂの室外側面に当接し、内外障子２，３の召合せ框１０ａ，１０ｂの間からの風雨の吹き込みを阻止する。
【００１７】
内障子３の召合せ框１０ｂは、図４に示すように、室外側面に外障子２の召合せ框１０ａに当接するタイト材６４と煙返し６５を有し、タイト材６４と煙返し６５の間の隙間に召合せ引寄せピース６６が取付けてある。召合せ引寄せピース６６は硬質樹脂で形成され、図１に示すように、召合せ框１０ｂの上部と中間部と下部の３箇所に設けてある。このように、内外障子２，３の召合せ框１０ａ，１０ｂの間に召合せ引寄せピース６６が介在していることで、上述のように上スライドブロック２３と下スライドブロック４０が連動装置受け２１，３８に押し付けられて外障子２の召合せ框１０ａが室内側に引寄せられたときに、内障子３の召合せ框１０ｂも一緒に室内側に引寄せられる。召合せ引寄せピース６６は、図４に示すように、両側の側部にテーパー部を設けることで、内外障子２，３の開閉時に引っ掛からないようにしてある。
【００１８】
図２に示すように、ハンドル５８を上向きに操作すると、施錠片６０がハンドル受け６１から外れると共に、上スライドブロック２３と下スライドブロック４０が召合せ框１０ａ内に引っ込むことで引寄せが解除され、内外障子２，３が室外側横タイト材１７及び室内側横タイト材１８から離れ、内外障子２，３が軽く走行できる。
【００１９】
以上に述べたように本防音サッシは、外気密ライン１９と内気密ライン２０を分離し、内外障子２，３が室内側に引寄せられたときに、外障子２と枠１の間を外気密ライン１９により気密し、内障子３と枠１の間を内気密ライン２０により気密するようにしたので、図５，６に示すように、下枠５上に落ちる雨水や結露水を残らず速やかに排水することができ、障子２，３内に浸入した雨水等の排水経路が確保できるため、高い防音性能を確保しつつ排水性を向上することができる。さらに、下枠上面５ａを略フラットとし、下枠上面５ａより突出する内外レール２８，２９と中間立ち上げ片３２と室内側立ち上げ片３０の高さを略同じ高さとすることで、バリアフリーに対応したものとなっており、内障子３だけでなく外障子２も室内側から枠１に取付け・取り外しできる。
また本防音サッシは、内障子３の戸先框９ｂと外障子２の戸先框９ａに戸先引寄せピース５０を設け、内外障子２，３を閉めたときに戸先引寄せピース５０が竪枠６ａ，６ｂのフィン４９に当接することで各障子２，３の戸先部を室内側に引寄せでき、さらに内外障子２，３の召合せ框１０ａ，１０ｂ間に召合せ引寄せピース６６が設けてあることで、ハンドル５８を施錠側に操作したときに内外障子２，３の召合せ框１０ａ，１０ｂを一緒に室内側に引寄せできるので、構造が簡単である。
さらに、上枠４には外気密ライン１９と内気密ライン２０を繋ぐように風止め板２２ａ，２２ｂが設けてあり、下枠５には外気密ライン１９と内気密ライン２０を繋ぐように止水板３９ａ，３９ｂが設けてあるので、内外障子２，３の召合せ部と上下枠４，５間の止水性・気密性も優れている。
【００２０】
本発明は以上に述べた実施形態に限定されない。戸先引寄せピース５０は、竪枠６ａ，６ｂ側に設けることもできる。召合せ引寄せピース６６は、外障子２の召合せ框１０ａに設けることもできる。横タイト材１７，１８や縦タイト材５１，５６を障子２，３側に設け、障子２，３が室内側に引寄せられたときに、それらのタイト材が枠１に当接して外気密ライン１９と内気密ライン２０が形成されるようにすることもできる。実施形態のものは、障子が二枚建てのサッシとしているが、障子が三枚建てや四枚建てのサッシ等にも適用することができる。
【符号の説明】
【００２１】
１  枠
２  外障子
３  内障子
４  上枠
５  下枠
６ａ，６ｂ  竪枠
７ａ，７ｂ  上框
８ａ，８ｂ  下框
９ａ，９ｂ  戸先框
１０ａ，１０ｂ  召合せ框
１９  外気密ライン
２０  内気密ライン
２１，３８  連動装置受け
５０  戸先引寄せピース
５８  ハンドル
５９  連動装置
６１  ハンドル受け
６６  召合せ引寄せピース
【図１】
0005839969.tif 000002
【図２】
0005839969.tif 000003
【図３】
0005839969.tif 000004
【図４】
0005839969.tif 000005
【図５】
0005839969.tif 000006
【図６】
0005839969.tif 000007
【図７】
0005839969.tif 000008
【図８】
0005839969.tif 000009
【図９】
0005839969.tif 000010
【図１０】
0005839969.tif 000011
【図１１】
0005839969.tif 000012
【図１２】
0005839969.tif 000013
【図１３】
0005839969.tif 000014